(57)【要約】【課題】飛翔昆虫を誘引するガスを用いて飛翔昆虫を誘引し、室外へと排出することのできる換気扇を提供する。【解決手段】室内側に設けられた吸込口３と室外側に設けられた吐出口４と、吸込口３から吐出口４を通貫する風路５と、風路５内に室内側から室外側へ向かう気流を発生させるモーター６およびファン７と、吸込口３外部に飛翔昆虫を誘引するガスを発生させるガス発生部８を備え、換気扇運転時にファン７の回転と停止を交互に行い、ファン７停止時にガス発生部８からガスを放出し、ファン７回転時には前記ガスを放出しない換気扇としたことで、換気扇吸込口に飛翔昆虫を誘引し、屋外へと排出する換気扇を提供することができる。【選択図】図１
2019120478.tif 000002
【特許請求の範囲】
【請求項１】
室内側に設けられた吸込口と室外側に設けられた吐出口と、吸込口から吐出口を通貫する風路と、風路内に室内側から室外側へ向かう気流を発生させるモーターおよびファンと、吸込口外部に飛翔昆虫を誘引するガスを発生させるガス発生部を備え、換気扇運転時にファンの回転と停止を交互に行い、ファン停止時に前記ガス発生部からガスを放出し、ファン回転時には前記ガスを放出しない換気扇。
【請求項２】
ガス発生部から放出されるガスが二酸化炭素を含むことを特徴とする請求項１の換気扇。
【請求項３】
ガス発生部から放出されるガスに乳酸、オクテノール、アンモニア、のいずれか１つまたは複数のガスを含むことを特徴とする請求項１または２記載の換気扇。
【請求項４】
吸込口前面に化粧パネルを備えた請求項１から３のいずれか一つに記載の換気扇。
【発明の詳細な説明】
【技術分野】
【０００１】
本発明は、室内空気を屋外へ排出する換気扇において、室内の飛翔昆虫を室外へと排出するための換気扇に関するものである。
【背景技術】
【０００２】
従来、この種の飛翔昆虫を室外へと排出する換気扇としては、吸込口付近に飛翔昆虫を誘引するための誘引部と、排気流を発生させるファンを備えた換気扇が知られている。すなわち、図５に示すように、吸込口１０１付近に誘引部１０２として光源を備え、誘引部に近付いた飛翔昆虫を、風路内のモーター１０３およびファン１０４を用いて発生させた気流で風路内に吸込み、室外へと排出する換気扇であった（例えば特許文献１参照）。
【０００３】
また、誘引ガスをファン前方で発生させて飛翔昆虫を誘引し、ファンで発生させた気流で誘引した飛翔昆虫を吸引し捕集する捕虫器も開発されている（例えば特許文献２参照）。
【先行技術文献】
【特許文献】
【０００４】
【特許文献１】特開平１０−２２７５０３号公報
【特許文献２】特開２０１５−６２４０１号公報
【発明の概要】
【発明が解決しようとする課題】
【０００５】
このような従来の飛翔昆虫を排出する換気扇では、光を用いて飛翔昆虫を誘引していたが、デング熱等を媒介するヒトスジシマカやネッタイシマカといった蚊に対する光による誘引効果は薄いとされており、危険性の高い蚊への効果が不十分であるという課題があった。
【０００６】
また、蚊に対する効果が強いとされる二酸化炭素を発生させる捕虫器も、発生させた二酸化炭素を自身の後段に設置されたファンによって拡散されてしまい、誘引ガスが吸込口付近に留まらないため、飛翔昆虫を十分に誘引できないという課題を有していた。
【０００７】
本発明は、このような従来の課題を解決するものであり、吸込口付近に誘引ガスを発生させ、室内の飛翔昆虫を屋外へと放出することができる換気扇を提供することを目的としている。
【課題を解決するための手段】
【０００８】
この目的を解決するために、本発明は、室内側に設けられた吸込口と室外側に設けられた吐出口と、吸込口から吐出口を通貫する風路と、風路内に室内側から室外側へ向かう気流を発生させるモーターおよびファンと、吸込口外部に飛翔昆虫を誘引するガスを発生させるガス発生装置を備え、換気扇運転時にファンの回転と停止を交互に行い、ファン停止時に前記ガス発生部からガスを放出し、ファン運転時には前記ガスを放出しない換気扇であり、これにより所期の目標を達成するものである。
【発明の効果】
【０００９】
本発明によれば、ファン停止時に誘引ガスを発生させることにより、一時的に換気扇吸込口付近のガス濃度を高めることができ、室内の飛翔昆虫を換気扇吸込口付近まで誘引することができ、屋外へ排出する飛翔昆虫の数を増やすことができる。
【００１０】
また、室内の飛翔昆虫を誘引するガスとして用いる二酸化炭素は、間欠的に発生させることで蚊の誘引効果を高めることができるため、特に蚊の排出を効率的に行うことができる。
【図面の簡単な説明】
【００１１】
【図１】本発明の実施の形態１の換気扇を示す側面断面図
【図２】同換気扇を住宅に設置した際の概略図
【図３】本発明の実施の形態２の換気扇を示す側面断面図
【図４】本発明の実施の形態２の換気扇を示す斜視図
【図５】従来の飛翔昆虫排出換気扇を示す側面断面図
【発明を実施するための形態】
【００１２】
本発明の請求項１に係る換気扇は、室内側に設けられた吸込口と室外側に設けられた吐出口と、吸込口から吐出口を通貫する風路と、風路内に室内側から室外側へ向かう気流を発生させるモーターおよびファンと、吸込口外部に飛翔昆虫を誘引するガスを発生させるガス発生装置を備え、換気扇運転時にファンの回転と停止を交互に行い、ファン停止時に前記ガス発生部からガスを放出し、ファン運転時には前記ガスを放出しないという運転を行う。
【００１３】
これにより、発生させた誘引ガス濃度が一時的に換気扇の吸込口付近で高濃度の状態を維持することができ、吸込口付近に飛翔昆虫を誘引することができるため室内の飛翔昆虫を換気扇から排出することができるという効果を得る。中でもヒトスジシマカやネッタイシマカのようなデング熱などの感染症を媒介することで知られているヤブカは、誘引ガスの一種である二酸化炭素を間欠発生させることでより強力に誘引されるため、危険性の高い蚊を特に効率的に換気扇から排出できるという効果を得る。
【００１４】
請求項２に係る換気扇は、ガス発生部から放出されるガスが二酸化炭素を含む構成にしてもよい。
【００１５】
これにより、従来の光源を用いた捕虫装置では十分に誘引することのできなかった、アカイエカやヒトスジシマカのような人を吸血のターゲットとする蚊を換気扇付近に誘引し、屋外へ排出するという効果を得る。また、蚊は長距離からわずかな二酸化炭素濃度勾配でも検出できるため、微量の二酸化炭素でも室内全体に亘って誘引効果を発揮することができる。
【００１６】
請求項３に係る換気扇は、ガス発生部から放出されるガスが、二酸化炭素に加え、乳酸、オクテノール、アンモニアのいずれか１つまたは複数のガスを含む構成にしてもよい。
【００１７】
これにより、二酸化炭素を単独で用いた場合よりもさらに短時間・高効率で室内の飛翔昆虫を誘引し、屋外へ排出するという効果を得る。また、乳酸、オクテノール、アンモニアといった誘引物質は、二酸化炭素よりも短い距離において蚊を正確に発生源へと誘導する効果をもっているため、換気扇付近に近付いた蚊をガス発生部へと誘引するという効果を得ることができる。
【００１８】
また、請求項４に係る換気扇は、吸込口前面に化粧パネルを備えた構成にしてもよい。
【００１９】
これにより、風路内のサイクロン分離装置を外部から見えなくすることができ、部屋の内装と調和の取れたデザインが可能になるうえに、吸込口がむき出しになっている状態と比較して開口部面積が小さくなるので吸込風速を向上させることが可能であり、遠くを飛行している飛翔昆虫でも流入隙間から吸込むことができるようになる。
【００２０】
（実施の形態１）
図１および図２は本実施の形態における換気扇の図である。図１は、換気扇を示す側面断面図、図２は換気扇を住宅に設置した際の概略図を示す。
【００２１】
本実施の形態１の換気扇１は、図１に示すように部屋の壁面を貫通して取り付けられている。
【００２２】
換気扇１は、パネル２と、吸込口３と、吐出口４と、吸込口３から吐出口４へ連通する風路５と、モーター６とモーター６の軸に取り付けられたファン７と、ガス発生部８から構成されている。
【００２３】
吸込口３は部屋の室内側に、吐出口４は室外側に配置されている。
【００２４】
換気扇１の前面において、パネル２を備え、吸込口３を配置している。
【００２５】
モーター６とモーター６の軸に取り付けられたファン７は、室内側から室外側へ向かう空気流を形成するものである。
【００２６】
ガス発生部８は、飛翔昆虫を誘引するためのガスを放出ものであり、誘引ガスの供給手段と、誘引ガスを放出するための１つまたは複数の開口部を有する。誘引ガスの供給手段として、ガスボンベ９とガスボンベに接続された配管１０と電磁弁１１を備えている。
ガス発生部８の設置位置は換気扇の室内側であれば特に限定されず、パネル２前面かパネル２外周部に設置されるのが好ましい。発生させる誘引ガスとして二酸化炭素を含むことが好ましく、二酸化炭素に加えてアンモニア、オクテノール、乳酸を含むことがより好ましい。電磁弁とファンは電源を同一のものとしており、タイマー制御により電磁弁の開放とファンの停止、電磁弁の閉鎖とファンの運転を交互に繰り返す構成となっている。
【００２７】
室内の蚊を誘引するための二酸化炭素の発生速度として好ましい範囲は１０ｍＬ／ｍｉｎ〜５００ｍＬ／ｍｉｎであり、さらに好ましい範囲は５０ｍＬ／ｍｉｎ〜３００ｍＬ／ｍｉｎである。
【００２８】
二酸化炭素を発生させる時間は、二酸化炭素の発生量が排気により室外に排出される二酸化炭素の量よりも少なくなることが好ましい。例えば３０ｍ３の室内で１００ｍＬ／ｍｉｎの速度で二酸化炭素を発生させ２０ｍ３／ｈの風量で排気を行うことのできるファンを用いた場合、二酸化炭素の発生時間をファンの運転時間の１／４に設定することで、換気扇使用による室内の二酸化炭素濃度上昇を１００ｐｐｍ程度に抑えながら、１時間あたり０．５回の室内換気を行うことが可能である。
【００２９】
上記構成において、ファン７停止中に電磁弁を開放することで、ファン７停止中にのみ誘引ガスを発生させることができ、ガス発生部８から放出されたガスがすぐに吸込口３から排出されてしまうことを防ぐ。吸込口付近の誘引ガス濃度が局所的に高い状態を一定時間保持できるため、吸込口３付近に室内の飛翔昆虫を誘引することが可能になり、ファン７の運転開始に伴い吸込口３に誘引された飛翔昆虫を排気流と共に屋外へと排出することができる。
【００３０】
また、ヒトスジシマカやネッタイシマカ、アカイエカといった、ヒトを吸血のターゲットにする蚊に対しては、二酸化炭素を間欠発生させることにより連続発生時と比較して誘引作用が増大することが知られており、感染症の媒介などの点において危険性の高い飛翔昆虫に対して特に高い誘引効果を発揮する。
【００３１】
（実施の形態２）
図３は実施の形態２の換気扇を示す側断面図、図４は換気扇を示す斜視図である。図３、図４において、実施の形態１と同一の部分は同一符号を付し、その詳細な説明は省略する。
【００３２】
図３に示すように換気扇１は、パネル２に接続受け部１４を設け、接続受け部１４に対応させて接続部１３を備えた化粧パネル１２を備えている。化粧パネル１２は、パネル２の前面側に配置されている。
接続部１３を換気扇本体との流入隙間を確保できる大きさとして接続受け部１４に接続することで、吸込口３の上流側の前面で、化粧パネル１２はパネル２に対して所定の距離を置いて、配置し換気扇１を構成するものである。
【００３３】
上記構成において、接続部１３と接続受け部１４により化粧パネル１２とパネル２との間に流入隙間１５を形成でき、換気扇１の吸込風速を大きくすることができる。これにより換気扇１による飛翔昆虫の吸込能力が向上し、より遠方を飛行している飛翔昆虫まで吸込むことが可能になる。また、化粧パネル１２により換気扇内部が見えないフラットな外観となるため、インテリア性が向上する。
【産業上の利用可能性】
【００３４】
室内空気を屋外へ排出するとともに、室内の飛翔昆虫を室外へと排出する換気装置として有用である。
【符号の説明】
【００３５】
１    換気扇
２    パネル
３    吸込口
４    吐出口
５    風路
６    モーター
７    ファン
８    ガス発生部
９    ガスボンベ
１０    配管
１１    電磁弁
１２    化粧パネル
１３    接続部
１４    接続受け部
１５    流入隙間
【図１】
2019120478.tif 000003
【図２】
2019120478.tif 000004
【図３】
2019120478.tif 000005
【図４】
2019120478.tif 000006
【図５】
2019120478.tif 000007